(57)【特許請求の範囲】
【請求項１】
投入メダルが順次通過し、正規メダルより小径の不正メダルが一方のメダル面の側へ排出されるようにその側が正規メダル径より小さい幅で帯状に開放したメダル通路を具備しており、前記メダル通路の横幅方向の一方の側は通過メダルの外周縁部を定位置で係止する固定のメダル係止部とされると共に、他方の側は電磁石のオンオフによりメダル係止位置とその外側の開放位置との間を切り替え移動する可動のメダル係止部とされ、可動のメダル係止部は当該メダル係止部が前記電磁石の吸着力によりメダル係止位置にあるとき、前記吸着を用いてメダルを可動のメダル係止部の側から固定のメダル係止部の側へ押圧するメダルプッシャと組み合わされているメダルセレクタにおいて、
前記可動のメダル係止部は、メダルを係止する側と反対側が回動可能に軸支され、内側に配置された電磁石により係止位置に吸着保持されるヒンジ形式であり、
前記メダルプッシャは、前記ヒンジ形式の可動のメダル係止部の外側面に一端部が回動可能に軸支されると共に、他端部が可動のメダル係止部に係止されたメダルを押圧するべく当該メダル係止部を貫通するヒンジ形式とし、且つ前記電磁石により磁化された可動のメダル係止部を押圧側への付勢源とする親子構造であることを特徴とするメダルセレクタ。
【請求項２】
請求項１に記載のメダルセレクタにおいて、メダル通路は、投げ込み投入により一括投入された複数個のメダルを整列させて順次送り出す整列送出部の下流側に組み合わされるメダルセレクタ。
【請求項３】
請求項１又は請求項２に記載のメダルセレクタを装備したメダル式遊技機。
【請求項４】
投入されたメダルの内、正規メダルが通過する一方、正規メダル径より小さい幅の帯状開放部から、正規メダルより小径の不正メダルを排出するメダル通路が形成され、前記メダル通路の一方の側は、通過メダルの外周縁部を定位置で係止する固定のメダル係止部とされると共に、他方の側は電磁石のオンオフによりメダル係止位置とその外側の開放位置との間を切り替え移動する可動のメダル係止部とされたメダルセレクタにおいて、
前記可動のメダル係止部は、メダルを係止する側と反対側が回動可能に軸支され、内側に配置された前記電磁石により係止位置に吸着保持されるヒンジ形式であって、前記電磁石の吸着力によりメダル係止位置にあるとき、前記電磁石により吸着されるメダルプッシャを具備し、
前記メダルプッシャは、前記ヒンジ形式の可動のメダル係止部の外側面に一端部が回動可能に軸支されると共に、他端部が可動のメダル係止部に係止されたメダルを押圧するべく当該メダル係止部を貫通するヒンジ構造であって、前記電磁石により可動のメダル係止部が磁化されると、押圧側へ付勢すること、
を特徴とするメダルセレクタ。
【請求項５】
投入されたメダルの内、正規メダルが通過する一方、正規メダル径より小さい幅の帯状開放部から、正規メダルより小径の不正メダルを排出するメダル通路が形成され、前記メダル通路の一方の側は、通過メダルの外周縁部を定位置で係止する固定のメダル係止部とされると共に、他方の側は電磁石のオンオフによりメダル係止位置とその外側の開放位置との間を切り替え移動する可動のメダル係止部とされたメダルセレクタを備えるメダル式遊技機において、
前記可動のメダル係止部は、メダルを係止する側と反対側が回動可能に軸支され、内側に配置された前記電磁石により係止位置に吸着保持されるヒンジ形式であって、前記電磁石の吸着力によりメダル係止位置にあるとき、前記電磁石により吸着されるメダルプッシャを具備し、
前記メダルプッシャは、前記ヒンジ形式の可動のメダル係止部の外側面に一端部が回動可能に軸支されると共に、他端部が可動のメダル係止部に係止されたメダルを押圧するべく当該メダル係止部を貫通するヒンジ構造であって、前記電磁石により可動のメダル係止部が磁化されると、押圧側へ付勢すること、
を特徴とするメダル式遊技機。
【発明の詳細な説明】
【技術分野】
【０００１】
本発明は、パチスロ機と称される回胴式遊技機等のメダル式遊技機に使用されるメダルセレクタ、及びこれを用いたメダル式遊技機に関する。
【背景技術】
【０００２】
回胴式遊技機における通常のゲーム運びは大凡、次のようなものである。機内に予め所定数のメダルを投入しておく。最大投入枚数は５０枚に制限されている。メダルの掛け数を１〜３の範囲内で設定し、スタートボタンを押す。ストップボタンを押す。複数個のドラムが停止したときの図柄の配列形態とメダルの掛け数とによって決まる所定数のメダルが受け皿に払い出される。機内の投入枚数が減ると、メダルを再度購入するか、受け皿、或いは大箱から取り出して、再度メダルの投入を行う。
【０００３】
回胴式遊技機内へのメダルの投入操作については、現在はメダルが１枚通過するスリット状のメダル投入口から１枚ずつ投入が行われている。しかしながら、メダルは機内で、更には店内で繰り返し使用されるため、多くの人の手に触れており、衛生上の観点からメダルに触れることに抵抗感を感じる人は少なくない。特に女性の遊技者に抵抗感を感じる人が多い。このような状況を受けて、複数枚のメダルを機内へ一括して投入する、いわゆる投げ込み投入が考えられている（特許文献１及び２）。
【０００４】
投げ込み投入とは、遊技機の前扉の前面に設けられた大きな投入皿へ複数枚のメダルを一度に投入する操作である。投入皿に投入されたメダルは、前扉の背後に設置されたメダルセレクタに送られる。メダルセレクタは投入されたメダルの真偽を判定するものであり、正規のメダルのみをカウントし機内に取り込む。非正規のメダルは、メダルセレクタで排除されて前扉正面のメダル払出口から受け皿へ返却排出される。メダルセレクタは、メダルカウンタを兼ねており、正規のメダルの投入枚数をカウントする。投入枚数が５０枚に達すると、それより後に投入されたメダルは、非正規のメダルと同様にメダルセレクタで排除されて前扉前面のメダル払出口から受け皿に返却排出される。
【０００５】
このような投げ込み投入においては、メダルセレクタに関して次のような問題が想定される。遊技者が投入皿へメダルを一括投入すると、そのメダルは直ちに機内でカウントされたものと思い、遊技を開始する。遊技機でのメダルカウントが遅れると、遊技者が思うようには遊技は進まない。この時間的なズレが遊技者に違和感、ひいては不快感を与えないことになる。
【０００６】
この問題を解決するためには、メダルセレクタの動作速度を上げることが不可欠となる。投げ込み投入方式の遊技機に使用されるメダルセレクタとしては、投げ込みにより一括投入されたメダルを例えばローター方式の整列部で整列させて、順次チェック用のメダル通路へ弾き出す方式のものが必要になる。メダル通路自体は従来からのものと大差なく、メダル通路の一方のメダル面の側が正規メダル径より僅かに小さい幅で帯状に開口した構成とされる。このため、正規のメダルはそのメダル通路を通過するが、１０円玉のような規定より小さい不正メダルは帯状開口部から通路外へ排出され、これにより正規メダルの選別が行われ、合わせて正規メダルの個数がカウントされる。
【０００７】
従来のメダルを１個ずつ投入する方式では、メダルが自重により低速でメダル通路を通過するので問題はないが、投げ込み投入方式の遊技機に使用されるメダルセレクタでは、前述したように、投入されたメダルが整列部からメダル通路へ次々と高速で機械的に弾き出される。このたため、メダルがメダル通路を通過中に振動を起こし、正規メダルであるにもかかわらず、帯状開口部から通路外へ排出されてしまい、個数をカウントできない危険性がある。
【先行技術文献】
【特許文献】
【０００８】
【特許文献１】特開２００８−４３４７８号公報
【特許文献２】特開２００８−１１３６７８号公報
【発明の概要】
【発明が解決しようとする課題】
【０００９】
本発明は、このような事情に鑑みてなされたもので、投げ込み投入方式などにより複数個のメダルが一括投入された場合にも、高速で且つ正確に正規メダルを選別しカウントすることができるメダルセレクタ及びそれを用いたメダル式遊技機を提供することを目的とする。
【課題を解決するための手段】
【００１０】
請求項１に係る本発明のメダルセレクタは、上記の目的を達成するために、投入メダルが順次通過し、正規メダルより小径の不正メダルが一方のメダル面の側へ排出されるようにその側が正規メダル径より小さい幅で帯状に開放したメダル通路を具備しており、前記メダル通路の横幅方向の一方の側は通過メダルの外周縁部を定位置で係止する固定のメダル係止部とされると共に、他方の側は電磁石のオンオフによりメダル係止位置とその外側の開放位置との間を切り替え移動する可動のメダル係止部とされ、可動のメダル係止部は当該メダル係止部が前記電磁石の吸着力によりメダル係止位置にあるとき、前記吸着を用いてメダルを可動のメダル係止部の側から固定のメダル係止部の側へ押圧するメダルプッシャと組み合わされているメダルセレクタにおいて、前記可動のメダル係止部は、メダルを係止する側と反対側が回動可能に軸支され、内側に配置された電磁石により係止位置に吸着保持されるヒンジ形式であり、前記メダルプッシャは、前記ヒンジ形式の可動のメダル係止部の外側面に一端部が回動可能に軸支されると共に、他端部が可動のメダル係止部に係止されたメダルを押圧するべく当該メダル係止部を貫通するヒンジ形式とし、且つ前記電磁石により磁化された可動のメダル係止部を押圧側への付勢源とする親子構造であることを特徴とする。
請求項２に係る本発明のメダルセレクタは、請求項１に記載のメダルセレクタにおいて、メダル通路は、投げ込み投入により一括投入された複数個のメダルを整列させて順次送り出す整列送出部の下流側に組み合わされることを特徴とする。
請求項３に係る本発明のメダル式遊技機は、請求項１又は請求項２に記載のメダルセレクタを装備したことを特徴とする。
請求項４に係る本発明のメダルセレクタは、投入されたメダルの内、正規メダルが通過する一方、正規メダル径より小さい幅の帯状開放部から、正規メダルより小径の不正メダルを排出するメダル通路が形成され、前記メダル通路の一方の側は、通過メダルの外周縁部を定位置で係止する固定のメダル係止部とされると共に、他方の側は電磁石のオンオフによりメダル係止位置とその外側の開放位置との間を切り替え移動する可動のメダル係止部とされたメダルセレクタにおいて、前記可動のメダル係止部は、メダルを係止する側と反対側が回動可能に軸支され、内側に配置された前記電磁石により係止位置に吸着保持されるヒンジ形式であって、前記電磁石の吸着力によりメダル係止位置にあるとき、前記電磁石により吸着されるメダルプッシャを具備し、前記メダルプッシャは、前記ヒンジ形式の可動のメダル係止部の外側面に一端部が回動可能に軸支されると共に、他端部が可動のメダル係止部に係止されたメダルを押圧するべく当該メダル係止部を貫通するヒンジ構造であって、前記電磁石により可動のメダル係止部が磁化されると、押圧側へ付勢することを特徴とする。
請求項５に係る本発明のメダル式遊技機は、投入されたメダルの内、正規メダルが通過する一方、正規メダル径より小さい幅の帯状開放部から、正規メダルより小径の不正メダルを排出するメダル通路が形成され、前記メダル通路の一方の側は、通過メダルの外周縁部を定位置で係止する固定のメダル係止部とされると共に、他方の側は電磁石のオンオフによりメダル係止位置とその外側の開放位置との間を切り替え移動する可動のメダル係止部とされたメダルセレクタを備えるメダル式遊技機において、前記可動のメダル係止部は、メダルを係止する側と反対側が回動可能に軸支され、内側に配置された前記電磁石により係止位置に吸着保持されるヒンジ形式であって、前記電磁石の吸着力によりメダル係止位置にあるとき、前記電磁石により吸着されるメダルプッシャを具備し、前記メダルプッシャは、前記ヒンジ形式の可動のメダル係止部の外側面に一端部が回動可能に軸支されると共に、他端部が可動のメダル係止部に係止されたメダルを押圧するべく当該メダル係止部を貫通するヒンジ構造であって、前記電磁石により可動のメダル係止部が磁化されると、押圧側へ付勢することを特徴とする。
【００１１】
本発明のメダルセレクタにおいては、メダル通路の一方の側は固定のメダル係止部とされ、他方の側は電磁石のオンオフによりメダル係止位置とその外側の開放位置との間を切り替え移動する可動のメダル係止部とされているので、可動のメダル係止部がメダル係止位置にあるときは、メダル通路の一方のメダル面側に両メダル係止部により正規メダルより小径幅の帯状開口部が形成され、不正メダルはメダル通路を通過中にこの帯状開口部から通路外へ排出される。
【００１２】
これと同時に、可動のメダル係止部をメダル係止位置に保持する電磁石の吸着力を利用したメダルプッシャにより、メダル通路を通過するメダルが可動のメダル係止部の側から固定の係止部の側へ押し付けられるため、正規メダルの振動による帯状開口部からの排出が防止される。電磁石の吸着力の代わりにバネ圧の利用も考えられるが、バネ圧の場合はメダルの通過に伴う圧縮によりバネ圧が増大し、メダルの通過を阻害することにより、メダル詰まりを発生させる原因になりかねない。逆に初期の押し付けが弱いために振動防止効果が小さい。しかるに、電磁石の吸着力の場合はメダルの通過に伴うメダルプッシャの退避により電磁石までの距離が大きくなり、吸着力が小さくなる。このため、メダルプッシャによる押し付けがメダル通過の障害にならず、メダル詰まりを発生させる危険性が低い。逆に初期の押し付けが強いため、振動防止効果も高くなる。
【００１３】
電磁石への通電を停止し、可動のメダル係止部が外側の退避位置へ移動すると、両係止部間の間隔、すなわち帯状開口部の横幅が広がり、メダル通路に進入したメダルのすべてが帯状開口部から通路外へ排出される。
【００１４】
メダル通路は、投げ込み投入により一括投入された複数個のメダルを整列させて順次送り出す整列送出部の下流側に組み合わされるのが特に有効である。前述したとおり、投げ込み投入の場合、投入されたメダルが整列送出部から高速で次々と弾き出されるため、メダル通路でのメダルの振動、及びこれによる正規メダルの帯状開口部からの排出が顕著であるため、その振動抑制に有効な前記メダル通路が特に有効となるのである。
【００１５】
可動のメダル係止部は、メダルを係止する側と反対側が回動可能に軸支され、内側に配置された電磁石により係止位置に吸着保持されるヒンジ形式とするのが、構成か簡単で好ましい。メダルプッシャは、前記ヒンジ形式の可動のメダル係止部の外側面に一端部が回動可能に軸支されると共に、他端部が可動のメダル係止部に係止されたメダルを押圧するべく当該メダル係止部を貫通するヒンジ形式とし、且つ前記電磁石により磁化された可動のメダル係止部を押圧側への付勢源とする親子構造とするのが、構成が合理的で好ましい。
【発明の効果】
【００１６】
本発明のメダルセレクタは、固定のメダル係止部と電磁石のオンオフによりメダル係止位置とその外側の開放位置との間を切り替え移動する可動のメダル係止部とにより、メダル通路内に不正メダル排出用の帯状開口部を形成すると共に、その可動のメダル係止部に、当該メダル係止部を変位駆動する電磁石を利用したメダルプッシャを組み合わせて、メダル通路を通過するメダルの振動を抑制するので、メダルの振動による正規メダルの帯状開口部からの排出を防止でき、振動が問題となる投げ込み投入の場合も安定なメダル選別及びカウントを可能とする。しかも、可動のメダル係止部を変位駆動する電磁石をメダルプッシャの付勢用動力源に利用するので、構造が簡単である。
【００１７】
また、本発明のメダル式遊技機は、上記メダルセレクタを装備することにより、投げ込み投入方式において投入メダルを高速処理する必要がある場合にも安定なメダルセレクト及びメダルカウントを可能とする。
【図面の簡単な説明】
【００１８】
【図１】本発明の実施形態に係るメダルセレクタを備えた回胴式遊技機の斜視図である。
【図２】同回胴式遊技機の正面図で、前扉を外した状態を示す。
【図３】同回胴式遊技機の主要部であるメダルセレクタ付近の縦断側面図で、セレクタ動作時を示す。
【図４】同回胴式遊技機の主要部であるメダルセレクタ付近の縦断側面図で、セレクタ停止時を示す。
【図５】同メダルセレクタの平面図である。
【図６】同メダルセレクタの正面図である。
【図７】同メダルセレクタの側面図である。
【図８】同メダルセレクタの底面図である。
【図９】同メダルセレクタの側面図で、その動作を示す。
【図１０】同メダルセレクタの底面図で、その動作を示す。
【発明を実施するための形態】
【００１９】
以下、本発明の実施形態を図面に基づいて詳細に説明する。
【００２０】
本実施形態のメダルセレクタは、メダル投げ込み方式の回胴式遊技機に使用される。その回胴式遊技機は、図１及び図２に示すように、前面が開放した筐体１０と、その前面開口部を開閉する片開き式の前扉２０とを備えている。前扉２０は上、中、下の３段セパレート構造になっている。中扉２０Ｂの最下部に、受け皿２１が正面側に突出して形成されている。受け皿２１の左側は灰皿２２である。受け皿２１及び灰皿２２が中扉２０Ｂの最下部に形成されたことにより、それらの下に空間が形成されており、ここにはドル箱が収容可能である。受け皿２１の下には進退可能なカップホルダー２３が設けられている。
【００２１】
中扉２０Ｂの中段部は正面側へテーブル状に突出した操作部２４である。操作部２４の上面は操作面であり、ここにはメダル投入部２５、ストップスイッチ、スタートスイッチなどのスイッチ類が設けられている。メダル投入部２５は複数枚のメダルを一括して投入する投げ込み方式である。中扉２０Ｂの上段部はドラム覗き窓２６である。上扉２０Ｃの正面には液晶表示部２７が設けられている。液晶表示部２７の両側にはスピーカー２８が、上側には発光表示部などが設けられている。
【００２２】
筐体１０内の底板上には、メダル払出装置３０が設置されている。その上には、水平軸回りに回転しその軸方向に配列された複数個のドラム４０が、筐体１０内の中段部に位置して設けられている。筐体１０内の上段部は制御部５０である。上扉２０Ｃは制御部５０の専用開閉扉であり、中扉２０Ｂはドラム４０のメンテナンス、メダル払出装置３０へのメダル補充などに使用される。下扉２０Ａは、メダル払出装置３０のメンテナンス、メダル払出装置３０に詰まったメダルの除去作業のときなどに開閉される。
【００２３】
前記メダル投入部２５は、ここでは図３及び図４に示すように、前扉２０の背面側に取付けられたメダルセレクタ７０と連結するように操作部２４に取付けられた投入部ユニットとなっている。このメダル投入部２５は、操作部２４の操作面に嵌合される投入皿２５ａと、投入皿２５ａのメダル出口であるメダル投入口２５ｂの近傍に取付けられたシャッター２５ｃと、同じくメダル投入口２５ｂの近傍に取付けられたシャッター駆動機構としてのソレノイド２５ｄとを主要構成部材としている。ただし、この投入皿２５ａはメダルを投入する為の投入凹部であって、漏斗のような形状をしており、必ずしも皿状とは限らない。
【００２４】
投入皿２５ａは、操作部２４の上面（操作面）の右端に嵌め込まれた直角三角形状の容器であり、その直角三角形状の上面開口部は、投げ込み投入に対応できるように操作面の横幅の１／４〜１／３を占めている（図１参照）。投入皿２５ａに一括投入されたメダルＭを奥のメダル投入口２５ｂに導くために、投入皿２５ａの底面は正面側から背面側に向かって下降傾斜し、両側面は正面側から背面側に向かって内側へ傾斜すると共に、上から下に向かって内側へ傾斜している。メダル投入口２５ｂは、横に長い長方形であり、複数枚のメダルＭが重なって同時通過する大きさに設定されている。
【００２５】
投入皿２５の背面側には、メダル投入口２５ｂと連通する角筒状のメダルガイド２５ｅが取付けられている。メタルガイド２５ｅは、投入皿２５ａの背面側に突出し、その背面側に配置されたメダルセレクタ７０へメダルＭを導くべく、背面側へ向かって下降傾斜している。
【００２６】
シャッター２５ｃは、メタルガイド２５ｅ内に対して進入、退出を行うことにより、メダル投入口２５ｂをその奥で開閉する。シャッター駆動機構としてのソレノイド２５ｄは、メタルガイド２５ｅの側方に取付けられており、プランジャの進出、退入動作によりシャッター６２を開閉駆動する。
【００２７】
具体的には、当該遊技機が電源オフのときにソレノイド２５ｄもオフとなり、ソレノイド２５ｄからプランジャが進出した状態となる。これにより、シャッター２５ｃが上方の開位置から下方の閉位置に下がる。電源オフ時にシャッター２５ｃを閉状態に保持するために、プランジャは図示されないスプリングにより進出方向に付勢されている。当該遊技機が電源オンになると、ソレノイド２５ｄによる吸引によりプランジャがスプリングによる付勢力に抗して退入することにより、シャッター２５ｃが下方の閉位置から上方の開位置に上がる。当該遊技機が電源オンでもエラー発生信号が発信されると、ソレノイド２５ｄへの通電が停止され、シャッター２５ｃは閉状態になる。
【００２８】
前扉２０におけるメダル投入部２５の背面側に取付けられたメダルセレクタ７０は、図５〜図１０に示すように、投入部２５から一括投入されたメダルＭを一時的に貯留し順次整列させて強制排出する整列排出部７０Ａと、整列排出部７０Ａから強制排出されるメダルＭを順次通過させてメダルＭの選別及びカウントを行うメダルガイド部７０Ｂとを備えている。整列排出部７０Ａは、円筒形状のメダル溜め７１Ａと、メダル溜め７１Ａ内の底部で回転する整列ローター７２Ａと、整列ローター７２Ａを駆動するためにメダル溜め７１Ａの底面に同心円状に取付けられた駆動モータ７３Ａとを有している。
【００２９】
メダル溜め７１Ａの上面開口部は、メダル投入部２５と連結用の開口部を残してカバー７４Ａにより閉止されている。このカバー７４Ａには、メダル溜め７１ＡへのメダルＭの投入を検知して駆動モータ７３Ａに回転指令信号を発信する第１のメダルセンサ７５Ａが取付けられている。整列ローター７２Ａは、メダルＭが嵌合する複数の円形凹部を上面の回転中心回りに有しており、当該ローター上に投入されたメダルＭを当該ローターの回転により円形凹部に順次収容し遠心力により側方へ弾き出す操作を続けることにより、整列排出部７０Ａからメダルガイド部７０ＢへメダルＭを高速で連続的に供給する。
【００３０】
メダルセレクタ７０のメダルガイド部７０Ｂは、整列排出部７０Ａにおけるメダル溜め７１Ａから側方へ延出したフレーム部７１Ｂを有している。フレーム部７１Ｂは先端部を除き基本的に断面が逆Ｔ字状であり、下端の水平部下方に下面が帯状に開口したメダル通路７２Ｂを形成している。具体的には、水平部の下面がメダルガイド面７３Ｂとされ、メダルガイド面７３Ｂの一方の側が、メダルＭの周縁部を係止する固定のメダル係止部７４Ｂとされている。メダルガイド面７３Ｂの他方の側には、メダルＭの周縁部を反対側から係止する可動のメダル係止部７５Ｂが設けられている。
【００３１】
可動のメダル係止部７５Ｂは、磁性体である金属板にて構成されており、断面が逆Ｔ字状のフレーム部７１Ｂの垂直部の他方の側に、その垂直部に沿って縦向きに配置されている。具体的には、メダル係止部７５Ｂの上端部は、フレーム部７１Ｂの垂直部の他方の側面に取付けられた支持部７６Ｂに回動可能に連結されている。すなわち、メダル係止部７５Ｂは、上端部を支点として傾動自在に懸吊支持されている。メダル係止部７５Ｂの下端部は、メダルガイド面７３Ｂの他端側からメダルＭの周縁部を係止するように内側へほぼ直角に折曲されている。そして、フレーム部７１Ｂの垂直部の他方の側面に取付けられた電磁石７７Ｂに吸着されることにより、可動のメダル係止部７５Ｂは、下端の折曲部がメダルＭの周縁部を係止するメダル係止位置に保持され、電磁石７７Ｂによる吸着から開放されると、図示されない付勢スプリングとストッパーとにより外側の開放位置に保持される。
【００３２】
すなわち、固定のメダル係止部７４Ｂと可動のメダル係止部７５Ｂとは、メダルガイド面７３Ｂの下方に、下面が帯状に開口したメダル通路７２Ｂを形成すると共に、帯状開口部７８Ｂの横幅Ｗ１を２段階に変更する。すなわち、帯状開口部７８Ｂの横幅Ｗ１は、可動のメダル係止部７５Ｂがメダル係止位置にあるときはメダルＭの外径Ｄより小さく、可動のメダル係止部７５Ｂが外側の開放位置へ退避したときはメダルＭの外径Ｄより大きくなる。ちなみに、メダル通路７２Ｂの横幅Ｗ２はメダルＭのスムーズな通過のためにメダルＭの外径Ｄより大きく設定されている。
【００３３】
可動のメダル係止部７５Ｂには、メダルプッシャ７９Ｂが組み合わされている。メダルプッシャ７９Ｂは、可動のメダル係止部７５Ｂの外側に上端部を支点として傾動自在に懸吊支持されている。メダルプッシャ７９Ｂの材質は、ここでは樹脂であり、電磁石７７Ｂの中心線上に位置する保持部７９Ｂａ内に埋設された金属部材が、電磁石７７Ｂに吸着された可動のメダル係止部７５Ｂの保持部７５Ｂａに吸着されることにより、メダルプッシャ７９Ｂは定常位置に保持される。定常位置では、メダルプッシャ７９Ｂの下端部から内側へ延出した当接部７９Ｂｂが、メダル係止部７５Ｂの下部に形成された開口部７５Ｂｂを挿通してメダル通路７２Ｂ内に側方から突出する。当接部７９Ｂｂの先端面は、メダル通路７８Ｂの上流側から下流側に向かって徐々にメダル通路７２Ｂ内へ侵入するように内側へ傾斜している。
【００３４】
メダル投入部２５の下流側に配置された上記メダルセレクタ７０においては、メダルセレクタ７０のメダルガイド部７０Ｂにおけるメダル通路７２Ｂの下流側は前述したメダル払出装置３０に繋がっており、メダル通路７２Ｂの下面側に形成された帯状開口部７８Ｂは前扉２０の正面側に設けられた受け皿２１に繋がっている。また、メダル投入部２５からメダル払出装置３０へのメダルＭの移動をよりスムーズにするために、前扉２０の背面側に配置された整列排出部７０Ａが前扉２０の背面側へ向かって下降傾斜し、前扉２０に沿って配置されたメダルガイド部７０Ｂが下流側に向かって下降傾斜するように、メダルセレクタ７０は傾斜配置されている。
【００３５】
メダル通路７２Ｂの上流部及び下流部には、メダルＭの個数をカウントするために、第２のメダルサンサ７２Ｂａ及び第３のメダルセンサ７２Ｂｂが配設されている。
【００３６】
メダルセレクタ７０における電磁石７７Ｂは、メダル投入部２５におけるソレノイド２５ｄと同様、当該遊技機が電源オンのとき励磁され、当該遊技機が電源オフのとき及び電源オフでもエラー信号が発信されたときに非励磁状態とされる。
【００３７】
次に、本実施形態のメダルセレクタ及びこれを備えたメダル投げ込み方式の回胴式遊技機の機能について説明する。
【００３８】
当該遊技機が電源オンのとき、前扉２０の投入部２５では、図３に示すように、ソレノイド２５ｄに通電が行われ、プランジャがソレノイド２５ｄ内に引き込まれることにより、シャッター２５ｃが開状態に保持される。その結果、投入皿２５ａの奥のメダル投入口２５ｂが全開状態となる。
【００３９】
メダル投入口２５ｂは複数枚のメダルＭが同時通過できる大きさを有しているので、メダル投入口２５ｂが全開状態で投入皿２５ａ内にメダルＭが投げ込み投入により一括投入されると、それらのメダルＭはメダル投入口２５ｂから、同じ大きさのメダルガイド２５ｅ内のメダル通路を通ってメダルセレクタ７０へスムーズに流入する。
【００４０】
メダルセレクタ７０では、当該遊技機が電源オンのとき、メダルガイド部７０Ｂ内の電磁石７７Ｂが励磁される。これにより、図７及び図８に示すように、可動のメダル係止部７５Ｂは内側のメダル係止位置に保持される。この結果、メダル通路７２Ｂの下面側に形成された帯状開口部７８Ｂの横幅Ｗ１は、メダルＭの外径Ｄより若干小さくなる。また、メダルプッシャ７９Ｂは、電磁石７７Ｂにより磁化されたメダル係止部７５Ｂに吸着されることにより定常位置に保持され、当接部７９Ｂｂをメダル通路７２Ｂ内に側方から突出させる。
【００４１】
この状態でメダル投入部２５からメダルセレクタ７０の整列排出部７０Ａにおけるメダル溜め７１Ａ内にメダルＭが投入されると、その投入が第１のメダルセンサ７５Ａにより検知され、駆動モータ７３Ａが回転を開始する。これにより、整列ローター７２Ａが回転を開始し、メダル溜め７１Ａ内のメダルＭがメダルガイド部７０Ｂへ次々と弾き出される。メダルガイド部７０Ｂに侵入したメダルＭは、メダル通路７２Ｂを高速で通過するが、通過の際には、図９及び図１０に示すように、メダル通路７２Ｂ内に突出したメダルプッシャ７９Ｂの当接部７９Ｂｂを外側へ押し広げる。これにより、メダルＭは固定のメダル係止部７４Ｂ側に押圧され、振動が阻止されることにより、正規メダルＭが誤って帯状開口部７８Ｂから排出される事態は回避される。その結果、正規メダルＭの全てがメダル通路７２Ｂを通過し、第２のメダルサンサ７２Ｂａ及び第３のメダルセンサ７２Ｂｂにより個数がカウントされてメダル払出装置３０へ送られる。
【００４２】
メダルＭがメダルプッシャ７９Ｂを外側へ押し広げると、メダルプッシャ７９Ｂは、磁化された可動のメダル係止部７５Ｂから離れる。その結果、メダルプッシャ７９Ｂを外側へ押し広げるほど押圧力が弱くなる。すなわち、メダルＭがメダルプッシャ７９Ｂに当たった当初は押圧力が大きく、メダルＭの振動を確実に阻止するが、メダルＭが進むにつれて押圧力が弱くなるので、メダルプッシャ７９Ｂに起因するメダル通路７２Ｂ内でのメダルＭの詰まりが回避される。ちなみに、バネ力を利用した場合は、当初は押圧力が弱く、メダルＭの振動を阻止する効力が小さい上に、メダルＭが進むにつれて押圧力が強くなるので、メダルプッシャ７９Ｂに起因するメダル通路７２Ｂ内でのメダルＭの詰まりの危険性が高くなる。
【００４３】
正規メダルＭより外径が小さい不正メダルＭの場合は、メダル通路７２Ｂを通過する途中、特にメダルプッシャ７９Ｂに当たった時点で下方の帯状開口部７８Ｂから通路外へ落下し、前扉２０の受け皿２１に戻る。
【００４４】
こうしてメダルセレクタ７０で高速選別、高速カウントが行われるため、遊技者は投入操作に続いて遊技操作を開始しても、遊技機は操作どおりに作動することになるので、遊技者は違和感、不快感を受けない。
【００４５】
遊技機が電源オフのとき、或いは遊技機が電源オンでもエラー信号等が発信されたときは、前扉２０の投入部２５におけるソレノイド２５ｄへの通電が停止される。その結果、図４に示すように、ソレノイド２５ｄからプランジャが進出し、シャッター２５ｃが閉状態になる。シャッター２５ｃが閉状態になると、投入皿２５ａからメダルセレクタ７０へのメダルＭの流入が停止される。メダルＭ以外の異物の進入も阻止され、メダル投入口２５ｂを介した不正行為も阻止できる。
【００４６】
メダルセレクタ７０においては、メダルガイド部７０Ｂにおける電磁石７７Ｂが非励磁状態となる。これにより、可動のメダル係止部７５Ｂは、外側の退避位置へメダルプッシャ７９Ｂと共に移動し、メダル通路７２Ｂの横幅Ｗ１が正規メダルＭの外径Ｄより多くなることにより、整列排出部７０Ａに残っていたメダルＭは全て帯状開口部７８Ｂから下方へ落下し、前扉２０の受け皿２１に戻る。
【符号の説明】
【００４７】
１０  筐体
２０  前扉
２０Ａ  下扉
２０Ｂ  中扉
２０Ｃ  上扉
２１  メダル受け
２１ａ  メダル払出口
２２  灰皿
２３  カップホルダー
２４  操作部
２５  メダル投入部
２５ａ  投入皿
２５ｂ  メダル投入口
２５ｃ  シャッター
２５ｄ  ソレノイド
２５ｅ  メダルガイド
２６  覗き窓
２７  液晶表示部
２８  スピーカー
３０  メダル払出装置
４０  ドラム
５０  制御部
７０  メダルセレクタ
７０Ａ  整列排出部
７１Ａ  メダル溜め
７２Ａ  整列ローター
７３Ａ  駆動モータ
７４Ａ  カバー
７５Ａ  第１のメダルセンサ
７０Ｂ  メダルガイド部
７１Ｂ  フレーム部
７２Ｂ  メダル通路
７３Ｂ  メダルガイド面
７４Ｂ  固定のメダル係止部
７５Ｂ  可動のメダル係止部
７６Ｂ  支持部
７７Ｂ  電磁石
７８Ｂ  帯状開口部
７９Ｂ  メダルプッシャ
Ｍ  メダル
【要約】
【課題】  投げ込み投入方式などにより多数個のメダルが一括投入された場合にも、高速で且つ正確に正規メダルの選別及びカウントを行うことができるメダルセレクタを提供する。
【解決手段】  投げ込み投入により一括投入された複数個のメダルを整列させて順次送り出す整列送出部７０Ａの下流側にメダルガイド部７０Ｂを連設する。メダルガイド部７０Ｂは、投入メダルＭが順次通過し、正規メダルＭより小径の不正メダルが一方のメダル面の側へ排出されるようにその側が正規メダル径より小さい幅で帯状に開放したメダル通路７２Ｂを具備する。メダル通路７２Ｂの横幅方向の一方の側は通過メダルＭの外周縁部を定位置で係止する固定のメダル係止部７４Ｂとされる。他方の側は電磁石のオンオフによりメダル係止位置とその外側の開放位置との間を切り替え移動する可動のメダル係止部７５Ｂとされる。可動のメダル係止部７５Ｂは当該メダル係止部が前記電磁石の吸着力によりメダル係止位置にあるとき、前記吸着を用いてメダルＭを可動のメダル係止部７５Ｂの側から固定のメダル係止部７５Ｂの側へ押圧するメダルプッシャ７９Ｂと組み合わされる。
【選択図】  図８【図１】
0004623761.tif 000002
【図２】
0004623761.tif 000003
【図３】
0004623761.tif 000004
【図４】
0004623761.tif 000005
【図５】
0004623761.tif 000006
【図６】
0004623761.tif 000007
【図７】
0004623761.tif 000008
【図８】
0004623761.tif 000009
【図９】
0004623761.tif 000010
【図１０】
0004623761.tif 000011